(57)【要約】【課題】アクティブウィンドウの範囲が充分、かつ均一にバックライトで照らされるよう制御することができる情報処理装置および表示制御方法を提供する。【解決手段】複数のＬＥＤを備えた表示装置１１に登録されたアプリケーションウィンドウのみを表示させる場合、アプリケーションウィンドウおよび当該アプリケーションウィンドウよりも広い範囲に対応する複数のＬＥＤを発光させ、アプリケーションウィンドウでない領域を黒く表示させるようにする。【選択図】      図２
2008083592.tif 000002
【特許請求の範囲】
【請求項１】
複数の発光素子を備えた表示手段と、
前記表示手段の所定領域のみを表示させる場合、前記所定領域および当該所定領域よりも広い範囲に対応する前記複数の発光素子を発光させる発光手段と、
前記発光手段によって発光素子が発光している表示範囲であり、かつ前記所定領域でない表示領域を黒く表示させるようにする制御手段と、
を具備することを特徴とする情報処理装置。
【請求項２】
請求項１に記載の情報処理装置において、
前記所定領域の範囲が変更された場合は、変更後の表示領域および当該変更後の表示領域よりも広い範囲に対応する前記複数の発光素子を発光させ、前記変更後の表示領域でない領域を黒く表示させるようにすることを特徴とする情報処理装置。
【請求項３】
請求項１に記載の情報処理装置において、
前記所定領域の範囲が変更された場合とは、前記所定領域の大きさの変更および位置の変更のいずれかであることを特徴とする情報処理装置。
【請求項４】
請求項１に記載の情報処理装置において、
前記所定領域に表示するアプリケーションは、予め登録されたアプリケーションであることを特徴とする情報処理装置。
【請求項５】
請求項４に記載の情報処理装置において、
前記予め登録されたアプリケーションが複数起動している場合は、これらのアプリケーションを順番に切り替えることを特徴とする外部記憶装置。
【請求項６】
複数の発光素子を備えた表示手段を備えた情報処理装置の表示を制御する表示制御方法であって、
前記表示手段の所定領域のみを表示させる場合、前記所定領域および当該所定領域よりも広い範囲に対応する前記複数の発光素子を発光させる発光ステップと、
前記所定領域でない領域を黒く表示させるようにする制御ステップと、
を有することを特徴とする表示制御方法。
【請求項７】
請求項６に記載の表示制御方法において、
前記所定領域の範囲が変更された場合は、変更後の表示領域および当該変更後の表示領域よりも広い範囲に対応する前記複数の発光素子を発光させ、前記変更後の表示領域でない領域を黒く表示させるようにすることを特徴とする表示制御方法。
【請求項８】
請求項６に記載の表示制御方法において、
前記所定領域の範囲が変更された場合とは、前記所定領域の大きさの変更および位置の変更のいずれかであることを特徴とする表示制御方法。
【請求項９】
請求項６に記載の表示制御方法において、
前記所定領域に表示するアプリケーションは、予め登録されたアプリケーションであることを特徴とする表示制御方法。
【請求項１０】
請求項９に記載の表示制御方法において、
前記予め登録されたアプリケーションが複数起動している場合は、これらのアプリケーションを順番に切り替えることを特徴とする表示制御方法。
【発明の詳細な説明】
【技術分野】
【０００１】
本発明は、ディスプレイの表示制御技術に係り、特に表示領域内の輝度が均一に表示することができる情報処理装置および表示制御方法に関する。
【背景技術】
【０００２】
一般的に、ディスプレイの一部のみを表示して省電力化を行う技術としては、例えば特開平１０−２０７４００号公報に開示されているように、表示させる一部分の領域に対応するバックライトを点灯させ、その他のバックライトを消灯させることで、表示の制御を行う制御技術がある（特許文献１参照）。
【特許文献１】特開平１０−２０７４００号公報
【発明の開示】
【発明が解決しようとする課題】
【０００３】
しかし、上述した技術では、バックライトの照らす領域により、表示領域外まで表示されてしまったり、バックライトの照らす領域を表示領域ぎりぎりに設定すると表示領域周辺部の輝度が低下してしまう。
【０００４】
本発明の目的は、アクティブウィンドウの範囲が充分、かつ均一にバックライトで照らされるよう制御することができる情報処理装置および表示制御方法を提供することである。
【課題を解決するための手段】
【０００５】
上記目的を達成するために、本発明の一態様によれば、複数の発光素子を備えた表示手段と、前記表示手段の所定領域のみを表示させる場合、前記所定領域および当該所定領域よりも広い範囲に対応する前記複数の発光素子を発光させる発光手段と、前記所定領域でない領域を黒く表示させるようにする制御手段と、を具備ことを特徴とする情報処理装置が提供される。
【発明の効果】
【０００６】
本発明を用いることにより、アクティブウィンドウの範囲が充分、かつ均一にバックライトで照らされるよう制御することができる。
【発明を実施するための最良の形態】
【０００７】
以下図面を参照して、本発明の実施形態について説明する。
【０００８】
図１には、本発明の一実施形態に係る情報処理装置の斜視図が示されている。この情報処理装置は、バッテリ駆動可能なノートブック型コンピュータ１０として実現されている。なお、本発明は、予め登録された任意のアプリケーションを表示させる領域のディスプレイのバックライトを点灯し、その他の領域を黒く表示させ、消費電力の低減を行う。さらに、アプリケーションが表示されている領域よりも広い領域のバックライトを点灯させ、アプリケーションが表示されている領域のバックライトの明るさが十分になるようにし、かつアプリケーションが表示されている領域以外の領域を黒く表示させるものである。
【０００９】
図１に示すように、コンピュータ１０は、本体１６と、ディスプレイ１１とから構成されている。ディスプレイ１１にはＬＣＤ（Liquid Crystal Display）からなる表示装置が組み込まれており、そのＬＣＤの表示画面１２はディスプレイ１１のほぼ中央に位置されている。
【００１０】
ディスプレイ１１は、コンピュータ１０に対して解放位置と閉塞位置との間を開閉自在に取り付けられている。コンピュータ１０の本体側は薄い箱形の筐体を有しており、その上面には、キーボード１３、パームレスト上にはタッチパッド１４、および左右２つのボタン１４ａ、１４ｂ、メール等の各種ショートカットボタン、電源ボタン、音量制御ボタン１８、スピーカ２９等が配置されている。また、本体１６の側面には、光学ドライブ１５等が設けられている。
【００１１】
図２は、本発明の一実施形態に係る情報処理装置の要部構成を示すブロック図である。
【００１２】
コンピュータ１０は、ＣＰＵ（Central Processing Unit）２０、Root Complex２１、主メモリ２４、グラフィックスコントローラ(End Point)２３、Root Complex（チップセット）２１とグラフィックスコントローラ２３とを接続するPCI Express Link２２、ディスプレイ（ＬＣＤ）である表示装置１１、バックライト制御装置１７、エンベデッドコントローラ／キーボードコントローラＩＣ（ＥＣ／ＫＢＣ）２７、ハードディスクドライブ（ＨＤＤ）２５、ＢＩＯＳ−ＲＯＭ２６、キーボード１３、タッチパッド１４、バッテリ２８、ＡＣ電源１９などを備えている。
【００１３】
Root Complex２１、グラフィックスコントローラ２３等は、PCI EXPRESS規格に準拠したデバイス（デバイス）である。Root Complex２１とグラフィックスコントローラ２３との間の通信は、Root Complex２１とグラフィックスコントローラ２３との間に配設されたPCI Express Link２２を介して実行される。
【００１４】
ＣＰＵ２０は、本コンピュータ１０の動作を制御するプロセッサであり、ＨＤＤ２５から主メモリ２４にロードされる各種プログラム（オペレーティングシステム、アプリケーションプログラム）を実行する。また、ＣＰＵ２０は、ＢＩＯＳ−ＲＯＭ２６に格納されたＢＩＯＳ（Basic Input Output System）も実行する。ＢＩＯＳは、表示制御装置であるグラフィックスコントローラ２３、バックライト制御装置１７および表示装置（ＬＣＤ）１１等のハードウェアを制御するためのプログラムである。
【００１５】
Root Complex２１は、ＣＰＵ２０のローカルバスとグラフィックスコントローラ２３との間を接続するブリッジデバイスである。また、Root Complex２１は、PCI Express Link２２を介してグラフィックスコントローラ２３との通信を実行する機能も有している。
【００１６】
グラフィックスコントローラ２３は、本コンピュータのディスプレイモニタとして使用されるディスプレイである表示装置１１を制御する表示コントローラである。また、ディスプレイ上の所定の領域に所定の表示を行う。例えば、表示領域よりも広めにバックライトを点灯させた場合は、表示領域より広くなった外側の領域を黒く表示させる等の制御を行う。
【００１７】
ＥＣ／ＫＢＣ２７は、電力管理のためのエンベデッドコントローラと、キーボード１３、タッチパッド１４、バッテリ２８、ＡＣ電源１９等を制御するためのキーボードコントローラとが集積された１チップマイクロコンピュータである。このＥＣ／ＫＢＣ２７は、ユーザによる電源ボタンの操作に応じて、電源コントローラと共同して、本コンピュータ１０をパワーオン／パワーオフする機能等を有している。
【００１８】
ＨＤＤ２５には、オペレーティングシステムや表示制御アプリケーション等のプログラムが記憶されている。
【００１９】
バックライト制御装置１７は、表示制御アプリケーションからの指示により、複数の発光素子を備えたバックライトの各素子の点灯、消灯を制御する。
【００２０】
次に、図３のフローチャートを参照して、本発明の情報処理装置を適用した表示制御方法について説明する。なお、本実施形態では、発光素子としてＬＥＤを例として説明するが、個別に発光制御可能なものであれば、これに限定されるものではない。
【００２１】
まず、ディスプレイ上で表示されるアプリケーションのうち、当該アプリケーションの表示領域以外の領域を黒く表示（一部画面表示）させ、省電力を図るアプリケーションを設定（一部画面表示設定）、登録する。例えば、ワープロソフト、表計算ソフトの２つを登録する。この登録は、ＨＤＤ２５に記憶されている例えば、表示制御アプリケーションに対して行う。
【００２２】
コンピュータ１０のＣＰＵ２０は、ＨＤＤ２５から表示制御アプリケーションを呼び出すと、表示制御アプリケーションによって、接続されている表示装置（ＬＣＤ）１１から表示装置１１のパネルサイズ情報、ＬＥＤ配置情報等を取得する（ステップＳ１０１）。
【００２３】
コンピュータ１０のＣＰＵ２０により制御されている表示制御アプリケーションは、ディスプレイ１２に表示されるアプリケーションが登録されているアプリケーションか否かを判別する（ステップＳ１０２）。表示制御アプリケーションにより、ディスプレイ１２に表示されるアプリケーションが登録されているアプリケーションであると判別されると（ステップＳ１０２のＹＥＳ）、ディスプレイ１２に表示されるアプリケーションのウィンドウ（表示対象アプリケーションウィンドウ）のサイズ情報と位置情報をオペレーティングシステムより取得する（ステップＳ１０３）。表示制御アプリケーションは、取得した表示対象アプリケーションウィンドウの表示情報（サイズ情報および位置情報等）に従い、点灯するＬＥＤと消灯するＬＥＤを演算によって求める（ステップＳ１０４）。求められた情報により、表示制御アプリケーションは、ＢＩＯＳにバックライト制御装置１７を介して表示装置のＬＥＤ個別点灯制御ファンクションを実行させる（ステップＳ１０５）。ＬＥＤ個別点灯制御ファンクションの実行により、取得した表示情報（サイズ情報および位置情報等）に従い、ＬＥＤの点灯と消灯を行う。例えば、図４に示すように、アプリケーションＡ（ワープロソフトの文章作成画面）およびアプリケーションＢ（メールソフトのメール作成画面）の２つのウィンドウ表示されている場合、アプリケーションＡおよびＢのうち、予め登録されているアプリケーションは、ワープロソフトであるので、アプリケーションＡのウィンドウのみを表示するようにＬＥＤを点灯させる必要がある。図５に示すように、コンピュータ１０のバックライト制御装置１７によって、アプリケーションＡのウィンドウをバックライトであるＬＥＤの４〜７を点灯させることによって表示する。さらに、ＬＥＤの４〜７を点灯させることによって、アプリケーションＡのウィンドウよりも広い範囲が明るく点灯するので、コンピュータ１０のＣＰＵ２０は、アプリケーションＡのウィンドウ以外の範囲を黒く表示させるように制御する。
【００２４】
次に、表示制御アプリケーションは、「全画面表示」と「一部画面表示」との切り替えがあったかを判別する（ステップＳ１０６）。なお、「全画面表示」とは、従来からのバックライトをすべて点灯させる表示形態であり、「一部画面表示」とは、本実施形態で行う所定のアプリケーションウィンドウのみを表示させる表示形態である。ステップＳ１０６で、表示制御アプリケーションによって、「全画面表示」と「一部画面表示」との切り替えがあったと判別された場合は（ステップＳ１０６のＹＥＳ）、ステップＳ１０３に遷移する。一方、ステップＳ１０６で、表示制御アプリケーションによって、「全画面表示」と「一部画面表示」との切り替えがないと判別された場合は（ステップＳ１０６のＮＯ）、現在の表示画面が、「全画面表示」でない場合は（ステップＳ１０７のＮＯ）、ステップＳ１０８に遷移する。ステップＳ１０８で、「一部画面表示」の状態のアプリケーションウィンドウのサイズ、位置に変更があったと、表示制御アプリケーションによって判別された場合は、ステップＳ１０３に遷移する。表示制御アプリケーションは、終了命令を受けた場合は（ステップＳ１０９のＹＥＳ）、終了する。
【００２５】
また、上述した、アプリケーションウィンドウのサイズの変更と、位置の変更について説明する。
【００２６】
図６に示すように、ウィンドウＡを表示している場合は、ＬＥＤ４〜７を点灯している。この状態でウィンドウＡのサイズを大きくした場合は、ＬＥＤ４〜９を点灯するようにしてサイズの変更に対応する。なお、ウィンドウＡ以外の領域は、黒く表示するようにしてＬＥＤ４〜９により照らされているウィンドウＡより広い領域が表示されないようにする。さらに、図７に示すように、ウィンドウＡを表示している場合は、ＬＥＤ４〜７を点灯している。この状態でウィンドウＡの位置を変更し、左へ移動させた場合は、ＬＥＤ１〜４を点灯するようにして位置の変更に対応する。また、上述した実施形態では、所定領域、例えばウィンドウＡ以外の領域は、黒く表示（画像表示ＯＦＦ）するようにしているが、青等の色でもよく、限定されるものではない。
【００２７】
以上詳述したように、本実施形態では、消費電力を低減しつつ、任意のウィンドウの範囲が充分、かつ均一にバックライトで照らされるよう制御することができる。すなわち、ウィンドウの表示範囲が十分明るく照らされるように、バックライトを点灯させ、ウィンドウの表示範囲でない領域は、黒等の表示をすることによって、明暗をくっきり分け、ウィンドウの表示範囲を均一に照らすことができる。換言すれば、必要な表示領域の外側までバックライトの輝度を十分にあげることにより、表示領域全体の輝度が均一になるように制御することができる。
【００２８】
また、上述した実施形態では、登録されたアプリケーションのウィンドウが１つの場合について説明したが、登録されたアプリケーションのウィンドウを２つ以上表示している場合は、ホットキー等でこれらのウィンドウを切り替えて表示することができる。また、この切り替え処理の中に「全画面表示」を入れて、登録されたアプリケーションのウィンドウと共に切り替えることもできる。
【００２９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３０】
【図１】本発明の一実施形態に係る情報処理装置の外観を示した斜視図。
【図２】本発明の一実施形態に係る情報処理装置の要部構成を示すブロック図。
【図３】本発明の一実施形態に係る情報処理装置を適用した表示制御方法を示したフローチャート。
【図４】ＬＥＤの点灯または消灯を制御して、アプリケーションウィンドウを表示する状態を示す模式図。
【図５】ＬＥＤの点灯または消灯を制御して、アプリケーションウィンドウを表示する状態を示す模式図。
【図６】ＬＥＤの点灯または消灯を制御して、アプリケーションウィンドウのサイズ変更に対応して表示する状態を示す模式図。
【図７】ＬＥＤの点灯または消灯を制御して、アプリケーションウィンドウの位置変更に対応して表示する状態を示す模式図。
【符号の説明】
【００３１】
１０…コンピュータ、１１…ＬＣＤ、１２…表示画面、１３…キーボード、１４…タッチパッド、１４ａ．１４ｂ…ボタン、１５…光学ドライブ、１６…本体、１７…バックライト制御装置、１８…電源ボタン、１９…ＡＣ電源、２０…ＣＰＵ、２３…グラフィックスコントローラ、２４…主メモリ、２５…ＨＤＤ、２６…ＢＩＯＳ−ＲＯＭ、２７…ＥＣ／ＫＢＣ、２８…バッテリ、２９…スピーカ、３０…表示装置
【図１】
2008083592.tif 000003
【図２】
2008083592.tif 000004
【図３】
2008083592.tif 000005
【図４】
2008083592.tif 000006
【図５】
2008083592.tif 000007
【図６】
2008083592.tif 000008
【図７】
2008083592.tif 000009